【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
生成された画像データを第１の画像メモリ領域及び第２の画像メモリ領域に書き込む制御部を備える画像処理装置において、
前記第１の画像メモリ領域から画像データを読み出すとともに、読み出された画像データを減衰させて、新たに生成された画像データとともに前記第２の画像メモリ領域に書き込むことにより残像効果を生じさせるブレンド回路と、
残像の間隔情報を記憶するバッファセレクトレジスタと
を備え、
前記ブレンド回路は、前記バッファセレクトレジスタのセレクト情報に基づき、画像データを読み出すメモリを選択する
ことを特徴とする画像処理装置。
【請求項２】
生成された画像データを第１の画像メモリ領域及び第２の画像メモリ領域に書き込む制御部を備える画像処理装置において、
前記第１の画像メモリ領域から画像データを読み出すとともに、読み出された画像データを減衰させて、新たに生成された画像データとともに前記第２の画像メモリ領域に書き込むことにより残像効果を生じさせるブレンド回路
を備え、
前記第１の画像メモリ領域及び前記第２の画像メモリ領域は、それぞれピクセルごとにブレンドレート及びブレンドレートを減衰させるためのパラメータであるスロープデータを蓄える残像バッファを有し、前記ブレンド回路は、前記残像バッファから前記ブレンドレート及びスロープを読み出して処理を行い、ピクセルごとに残像効果を調整可能とした
ことを特徴とする画像処理装置。
【請求項３】
画像メモリのブレンドレートと、外部から入力されるカレントピクセルのブレンドレートとを比較し、大きい方を選択するコンパレータセレクタを備える
ことを特徴とする請求項２記載の画像処理装置。
【請求項４】
前記ブレンド回路は、残像処理ごとに前記ブレンドレートから前記スロープを減算し、この減算結果を前記残像バッファに新たなブレンドレートとして書き込む
ことを特徴とする請求項２記載の画像処理装置。
【請求項５】
生成された画像データを第１の画像メモリ領域及び第２の画像メモリ領域に書き込む制御部を備える画像処理装置において、
前記第１の画像メモリ領域から画像データを読み出すとともに、読み出された画像データを減衰させて、新たに生成された画像データとともに前記第２の画像メモリ領域に書き込むことにより残像効果を生じさせるブレンド回路と、
前記ブレンド回路に入力すべき画像データ、および、前記ブレンド回路から出力された画像データの一方を選択して、選択された画像データを、他方の画像メモリ領域に書き込むセレクタと
を備えることを特徴とする画像処理装置。
【請求項６】
前記セレクタが、前記入力すべき画像データ中に含まれるフラグにより制御される
ことを特徴とする請求項５に記載の画像処理装置。
【請求項７】
画像データを格納するフレームバッファと、
前段回路から画素データを受けて前記フレームバッファにデータを書き込むとともに、前記フレームバッファからデータを読み出すフレームバッファインタフェースと、
前段回路からの画素データと前記フレームバッファの画素データを混合するときのブレンドレートを格納するブレンドレートレジスタと、
前記ブレンドレートレジスタのブレンドレートに基づき前段回路からの画素データと前記フレームバッファインタフェースからの画素データを混合して前段回路に返す第１ブレンド回路と
を備えることを特徴とする画像処理装置。
【請求項８】
画素単位で画像データ、ブレンドレート及びブレンドレートを減衰させるためのパラメータであるスロープデータを格納するフレームバッファと、
前段回路から画素単位で画像データ、ブレンドレート及びスロープデータを受けて前記フレームバッファにデータを書き込むとともに、前記フレームバッファからデータを読み出すフレームバッファインタフェースと、
前記フレームバッファのブレンドレートに基づき前段回路からの画素データと前記フレームバッファインタフェースからの画素データを混合して前段回路に返すブレンド回路と、
ブレンドレートからスロープに対応する値を減算する減算回路と、
前記フレームバッファのブレンドレートと前記減算回路からのブレンドレートとを比較する比較回路と、
前記比較回路の出力に基づき前記フレームバッファのブレンドレート及びスロープと前段回路からのブレンドレート及びスロープのいずれかを選択して前段回路に出力する選択回路と
を備えることを特徴とする画像処理装置。
【請求項９】
画像データを格納するフレームバッファと、
前段回路からの画素データと前記フレームバッファの画素データを混合するときのブレンドレートを格納するブレンドレートレジスタと、
前記ブレンドレートレジスタのブレンドレートに基づき前段回路からの画素データと前記フレームバッファからの画素データを混合して前段回路に返すブレンド回路と、
前段回路からフラグを受けて前段回路からの画素データ、および、前記ブレンド回路から出力された画像データの一方を選択し、選択された画像データを前記フレームバッファに書き込むセレクタと
を備えることを特徴とする画像処理装置。
【請求項１０】
生成された画像データを第１の画像メモリ領域及び第２の画像メモリ領域に書き込む制御部を備える画像処理装置において、
前記第１の画像メモリ領域および第２の画像メモリ領域のうちの一方から読みだされた画像データを減衰させて、新たに生成された画像データと合成することにより得られた合成画像データ、並びに、前記新たに生成された画像データのうちの一方を、他の画像メモリに書き込むための手段
を備えることを特徴とする画像処理装置。
【請求項１１】
画面全体に残像効果を適用するための画像処理方法であって、
残像の間隔情報を設定し、
カレントピクセルカラーとバッファのピクセルカラーをブレンドしてフレームバッファに書き込み、
領域内の全てのピクセルについて処理したかどうか判定し、全てのピクセルについて処理が完了していないときは前記書き込みステップを繰り返し、
全ての領域を処理したかどうか判定し、全ての領域について処理が完了していないときは前記書き込みステップを繰り返す
ことを特徴とする画像処理方法。
【請求項１２】
ポリゴン単位に残像効果を適用するための画像処理方法であって、
前回の画像データの何％のデータを残像として表示するかを示す残像の濃さ、および、残像として残す画像データを前回のデータとするか前々回のデータとするかを決める残像の間隔を設定し、
画像に含まれるポリゴンをソーティングし、
設定された残像の濃さに基づきカレントピクセルカラーとバッファのピクセルカラーをブレンドしてフレームバッファに書き込み、
領域内の全てのピクセルについて処理したかどうか判定し、全てのピクセルについて処理が完了していないときは前記書き込みステップを繰り返し、
全ての領域を処理したかどうか判定し、全ての領域について処理が完了していないときは前記書き込みステップを繰り返す
ことを特徴とする画像処理方法。
【請求項１３】
ゲームの進行を制御するためのゲーム処理部と、画像データを格納するフレームバッファと、前段回路からの画素データと前記フレームバッファの画素データを混合するときのブレンドレートを格納するブレンドレートレジスタと、前記ブレンドレートレジスタのブレンドレートに基づき前段回路からの画素データと前記フレームバッファからの画素データを混合して前段回路に返すブレンド回路と、前段回路からフラグを受けて前段回路からの画素データ、および、前記ブレンド回路から出力された画像データの一方を選択し、選択された画像データを前記フレームバッファに書き込むセレクタとを含む画像処理部と、
前記ゲーム処理部からのゲームの進行状況に関する情報に基づき前記セレクタを制御する情報を出力する判定部と
を備えることを特徴とするゲーム装置。
【請求項１４】
前記判定部は、ゲーム画面を構成するポリゴンのうち、ゲーム進行において重要で、強調されることによりゲームの状況判断が容易になるようなポリゴンを強調するように前記セレクタを制御する
ことを特徴とする請求項１３記載のゲーム装置。
【請求項１５】
前記判定部は、ゲームの進行状況に応じた所定のタイミング、条件、及び場面の少なくともいずれかに基づいて前記セレクタを制御する
ことを特徴とする請求項１３記載のゲーム装置。
【手続補正２】
【補正対象書類名】明細書
【補正対象項目名】０００７
【補正方法】変更
【補正の内容】
【０００７】
【課題を解決するための手段】
この発明に係る画像処理装置は、生成された画像データを第１の画像メモリ領域及び第２の画像メモリ領域に書き込む制御部を備える画像処理装置において、前記第１の画像メモリ領域から画像データを読み出すとともに、読み出された画像データを減衰させて、新たに生成された画像データとともに前記第２の画像メモリ領域に書き込むことにより残像効果を生じさせるブレンド回路と、残像の間隔情報を記憶するバッファセレクトレジスタとを備え、前記ブレンド回路は、前記バッファセレクトレジスタのセレクト情報に基づき、画像データを読み出すメモリを選択することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
この発明に係る画像処理装置は、生成された画像データを第１の画像メモリ領域及び第２の画像メモリ領域に書き込む制御部を備える画像処理装置において、前記第１の画像メモリ領域から画像データを読み出すとともに、読み出された画像データを減衰させて、新たに生成された画像データとともに前記第２の画像メモリ領域に書き込むことにより残像効果を生じさせるブレンド回路を備え、前記第１の画像メモリ領域及び前記第２の画像メモリ領域は、それぞれピクセルごとにブレンドレート及びブレンドレートを減衰させるためのパラメータであるスロープデータを蓄える残像バッファを有し、前記ブレンド回路は、前記残像バッファから前記ブレンドレート及びスロープを読み出して処理を行い、ピクセルごとに残像効果を調整可能としたことを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
この発明に係る画像処理装置は、生成された画像データを第１の画像メモリ領域及び第２の画像メモリ領域に書き込む制御部を備える画像処理装置において、前記第１の画像メモリ領域から画像データを読み出すとともに、読み出された画像データを減衰させて、新たに生成された画像データとともに前記第２の画像メモリ領域に書き込むことにより残像効果を生じさせるブレンド回路と、前記ブレンド回路に入力すべき画像データ、および、前記ブレンド回路から出力された画像データの一方を選択して、選択された画像データを、他方の画像メモリ領域に書き込むセレクタとを備えることを特徴とする。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３２
【補正方法】変更
【補正の内容】
【００３２】
この発明は、画面全体に残像効果を適用するための画像処理方法であって、残像の間隔情報を設定し、カレントピクセルカラーとバッファのピクセルカラーをブレンドしてフレームバッファに書き込み、領域内の全てのピクセルについて処理したかどうか判定し、全てのピクセルについて処理が完了していないときは前記書き込みステップを繰り返し、全ての領域を処理したかどうか判定し、全ての領域について処理が完了していないときは前記書き込みステップを繰り返すことを特徴とする。
【手続補正１８】
【補正対象書類名】明細書
【補正対象項目名】００３３
【補正方法】変更
【補正の内容】
【００３３】
この発明は、ポリゴン単位に残像効果を適用するための画像処理方法であって、前回の画像データの何％のデータを残像として表示するかを示す残像の濃さ、および、残像として残す画像データを前回のデータとするか前々回のデータとするかを決める残像の間隔を設定し、画像に含まれるポリゴンをソーティングし、設定された残像の濃さに基づきカレントピクセルカラーとバッファのピクセルカラーをブレンドしてフレームバッファに書き込み、領域内の全てのピクセルについて処理したかどうか判定し、全てのピクセルについて処理が完了していないときは前記書き込みステップを繰り返し、全ての領域を処理したかどうか判定し、全ての領域について処理が完了していないときは前記書き込みステップを繰り返すことを特徴とする。
【手続補正１９】
【補正対象書類名】明細書
【補正対象項目名】００３４
【補正方法】削除
【補正の内容】
【手続補正２０】
【補正対象書類名】明細書
【補正対象項目名】０１８９
【補正方法】変更
【補正の内容】
【０１８９】
【発明の効果】
以上のように、この発明によれば、生成された画像データを第１の画像メモリ領域及び第２の画像メモリ領域に書き込む制御部を備える画像処理装置において、前記第１の画像メモリ領域から画像データを読み出すとともに、読み出された画像データを減衰させて、新たに生成された画像データとともに前記第２の画像メモリ領域に書き込むことにより残像効果を生じさせるブレンド回路と、残像の間隔情報を記憶するバッファセレクトレジスタとを備え、前記ブレンド回路は、前記バッファセレクトレジスタのセレクト情報に基づき、画像データを読み出すメモリを選択するので、ハードウェアに残像機能をもたせることにより、処理の効率を上げるとともに、処理の高速化を実現できる。